(57)【要約】      （修正有）【課題】太陽電池モジュール等の機器を屋根に搭載するための馳付き屋根における機器の搭載装置を提供する。【解決手段】屋根の馳を跨いで設置される支持金具２と、馳を挟着する固着金具３と、支持金具の上部に機器を取付ける取付装置４とから成る。支持金具２は、馳の上方で馳を横断する台板部５と、台板部の両側から垂設された一対の脚板部６，６を備え、各脚板部に操作窓を開設している。固着金具３は、脚板部６，６の間に格納された状態で馳の左右に臨む一対の挟着金具１２Ｌ，１２Ｒと、挟着金具を台板部に下方から連結する連結ボルト１３と、一対の挟着金具を緊締することにより馳を挟着する締結ボルト１４及び締結ナット１５とから構成され、固着金具３を一対の脚板部６，６の間に格納すると共に、連結ボルト１３により台板部５に連結した状態で、操作窓を介して締結ボルト１４及び締結ナット１５を緊締する。【選択図】図１
0003189426.tif 000002
【実用新案登録請求の範囲】
【請求項１】
棟側から軒側に向かうＸ方向と、該Ｘ方向に交差するＹ方向に関して、Ｘ方向に延びるリブ状の馳をＹ方向に間隔をあけて配設して成る馳付き屋根において、屋根に機器を搭載する装置であり、
前記馳(1a)を跨いで屋根に設置される支持金具(2)と、前記馳を挟着する固着金具(3)と、前記支持金具の上部に機器を取付ける取付装置(4)とから成り、
前記支持金具(2)は、前記馳の上方で該馳を横断する台板部(5)と、該台板部の両側から垂設された一対の脚板部(6,6)を備え、各脚板部に操作窓(7)を開設しており、
前記固着金具(3)は、前記一対の脚板部(6,6)の間に格納された状態で前記馳(1a)の左右に臨む一対の挟着金具(12L,12R)と、該挟着金具を前記台板部に下方から連結する連結ボルト(13)と、前記一対の挟着金具を緊締することにより前記馳を挟着する締結ボルト(14)及び締結ナット(15)とから構成され、
前記固着金具(3)を一対の脚板部(6,6)の間に格納すると共に、連結ボルト(13)により台板部(5)に連結した状態で、前記操作窓(7,7)を介して締結ボルト(14)及び締結ナット(15)を緊締するように構成して成ることを特徴とする馳付き屋根における機器の搭載装置。
【請求項２】
前記固着金具(3)を構成する一対の挟着金具(12L,12R)は、Ｘ方向に延びる板リブ状の掴持片(18,18)を設け、一対の挟着金具の掴持片により馳(1a)の基部を挟着するように構成されており、
前記掴持片(18)は、Ｘ方向の両端部を下向きに折曲することにより爪片(20)を設け、該爪片に馳(1a)の側面から次第に離間する円弧縁(20a)を形成して成ることを特徴とする請求項１に記載の馳付き屋根における機器の搭載装置。
【請求項３】
前記固着金具(3)を構成する一対の挟着金具(12L,12R)は、相互に対向すると共に摺動自在に重ねられる摺動片(19,19)を設けており、
一方の摺動片(19)に前記連結ボルト(13)を挿通保持する保持孔(21)を設け、他方の摺動片(19)に前記連結ボルト(13)を挿通した状態でＹ方向に摺動自在な長孔(22)を設けており、
前記一方の摺動片(19)は、先端部に下向きの縦板部(23)を形成し、前記保持孔(21)に下方から挿通された連結ボルト(13)の頭部(13a)を下側から係止する係止突起(24)を前記縦板部(23)に設けて成ることを特徴とする請求項１又は２に記載の馳付き屋根における機器の搭載装置。
【請求項４】
前記一方の摺動片(19)は、縦板部(23)の両側からＹ方向に延びるガイド長片(25,25)を形成し、
前記他方の摺動片(19)は、前記ガイド長片(25,25)を摺動自在に嵌合する切欠き状の凹部(26,26)を形成して成ることを特徴とする請求項３に記載の馳付き屋根における機器の搭載装置。
【考案の詳細な説明】
【技術分野】
【０００１】
本考案は、馳付き屋根において太陽電池モジュール等の機器を屋根に搭載するための装置に関する。
【背景技術】
【０００２】
従来、屋根上に太陽電池モジュールを搭載するための装置が提案されている。その多くは、瓦屋根に関する技術であるが、太陽光エネルギーを活用するためには、瓦屋根に限らず、立平葺屋根等の馳付き屋根に関しても強いニーズがある。
【０００３】
この点に関して、特許文献１により提案された装置は、折板から成る屋根の馳に取付け可能とされ、金属板を門形に折曲することにより拡縮自在な脚部を形成し、両脚部の内側に相互に対向する挟持片を設け、両脚部ボルト・ナットにより締結するように構成されている。この装置は、拡開状態とした両脚部が馳を跨ぐように設置され、ボルト・ナットの締結により、両脚部を相互に引き寄せ、挟持片により馳を挟着する。
【先行技術文献】
【特許文献】
【０００４】
【特許文献１】特開２０１３−１２２１５５号公報
【考案の概要】
【考案が解決しようとする課題】
【０００５】
特許文献１が提案する装置は、門形の金具の両脚部を拡開状態から閉じることにより屋根の馳を挟着する構成であるから、薄い金属板により形成せざるを得ず、太陽電池モジュール等の重量物を搭載するための装置としては、強度不足等の問題がある。
【０００６】
しかも、両脚部を拡開状態から円弧方向に移動して閉じさせることにより、馳を挟着する構成であるから、常に必ず、両脚部の下端が屋根面に確実に接地するとは限らない。つまり、馳を挟着したとき、両脚部の下端が屋根から浮き上がり、この状態で設置作業を完了する可能性がある。この場合、太陽電池モジュール等の重量物を搭載したとき、荷重を受けることにより両脚部が下降して屋根面に接地するが、同時に挟持片も下降するので、挟持力が緩まるおそれがあり、あるいは馳を損傷するおそれがある。
【課題を解決するための手段】
【０００７】
本考案は、上記課題を解決した馳付き屋根における機器の搭載装置を提供するものであり、その手段として構成したところは、棟側から軒側に向かうＸ方向と、該Ｘ方向に交差するＹ方向に関して、Ｘ方向に延びるリブ状の馳をＹ方向に間隔をあけて配設して成る馳付き屋根において、屋根に機器を搭載する装置であり、前記馳を跨いで屋根に設置される支持金具と、前記馳を挟着する固着金具と、前記支持金具の上部に機器を取付ける取付装置とから成り、前記支持金具は、前記馳の上方で該馳を横断する台板部と、該台板部の両側から垂設された一対の脚板部を備え、各脚板部に操作窓を開設しており、前記固着金具は、前記一対の脚板部の間に格納された状態で前記馳の左右に臨む一対の挟着金具と、該挟着金具を前記台板部に下方から連結する連結ボルトと、前記一対の挟着金具を緊締することにより前記馳を挟着する締結ボルト及びナットとから構成され、前記固着金具を一対の脚板部の間に格納すると共に、連結ボルトにより台板部に連結した状態で、前記操作窓を介して締結ボルト及びナットを緊締するように構成して成る点にある。
【０００８】
本考案の好ましい実施形態において、前記固着金具を構成する一対の挟着金具は、Ｘ方向に延びる板リブ状の掴持片を設け、一対の挟着金具の掴持片により馳の基部を挟着するように構成されており、前記掴持片は、Ｘ方向の両端部を下向きに折曲することにより爪片を設け、該爪片に馳の側面から次第に離間する円弧縁を形成している。
【０００９】
前記固着金具を構成する一対の挟着金具は、相互に対向すると共に摺動自在に重ねられる摺動片を設けており、一方の摺動片に前記連結ボルトを挿通保持する保持孔を設け、他方の摺動片に前記連結ボルトを挿通した状態でＹ方向に摺動自在な長孔を設けており、前記一方の摺動片は、先端部に下向きの縦板部を形成し、前記保持孔に下方から挿通された連結ボルトの頭部を下側から係止する係止突起を前記縦板部に設けている。
【００１０】
この際、前記一方の摺動片は、縦板部の両側からＹ方向に延びるガイド長片を形成し、前記他方の摺動片は、前記ガイド長片を摺動自在に嵌合する切欠き状の凹部を形成することが好ましい。
【考案の効果】
【００１１】
請求項１に記載の本考案によれば、馳１ａを跨いで屋根１に設置される支持金具２と、前記馳１ａを挟着する固着金具１２を構成し、前記固着金具３は、挟着金具１２Ｌ、１２Ｒを組み合わせ、連結ボルト１３並びに締結ボルト１４及び締結ナット１５を具備した状態で、上向きに突出された連結ボルト１３を支持金具２の挿通孔８に下方から挿通することにより、該支持金具２の両脚板部６、６の間に格納されるように構成されている。従って、馳１ａを跨ぐようにして設置した支持金具２の両脚板部６、６の操作窓７、７から締結ボルト１４及び締結ナット１５を緊締する構成とされ、馳１ａの両側から工具を使用することにより固着金具３を固着できるため、作業が容易である。しかも、支持金具２の両脚板部６、６を屋根面に接地した状態で、固着金具３により馳１ａに挟着する構成であるから、挟着後に両脚板部６、６が屋根面から浮き上がることはなく、機器Ｍを好適に搭載できるという効果がある。
【００１２】
請求項２に記載の本考案によれば、板リブ状の掴持片１８、１８により馳１ａを強固に挟着することが可能である一方において、万一、馳１ａを挟着した状態で固着金具３がＸ方向に移動させられた場合、掴持片１８の端部エッジが馳１ａの表面に食い込まないように、該端部に円弧縁２０ａを形成した爪片２０を設けているので、馳１ａを損傷することがない。
【００１３】
請求項３に記載の本考案によれば、固着金具３は、締結ボルト１４及び締結ナット１５を締結したとき、一方の挟着金具１２Ｌの保持孔２１に保持された連結ボルト１３に対して、他方の挟着金具１２Ｒが長孔２２を介して移動可能であり、しかも、両挟着金具１２Ｌ、１２Ｒの摺動片１９、１９を介して相互に摺動自在に構成されている。そして、固着金具３と、支持金具２と、取付装置４を連結ボルト１３により仮止め状態で組付けるに際し、連結ボルト１３の落下を阻止する係止突起２４を設けているので、組付け作業が容易となる。
【００１４】
請求項４に記載の本考案によれば、固着金具３は、一対の挟着金具１２Ｌ、１２Ｒの相互に嵌合されるガイド長片２５及び凹部２６を設けているので、締結ボルト１４及び締結ナット１５を締結したとき、偏位等を生じることなくＸ方向に好適に近接移動し、正しい姿勢で馳１ａを強固に挟着することができる。
【図面の簡単な説明】
【００１５】
【図１】本考案の１実施形態の構成部材を分解状態で示す斜視図である。
【図２】本考案の１実施形態の支持金具と固着金具を示す斜視図である。
【図３】固着金具を構成する一対の挟着金具を組付けた状態を示し、（Ａ）は斜視図、（Ｂ）は断面図である。
【図４】本考案の１実施形態に係る装置を馳付き屋根に固着した状態を示す断面図である。
【図５】図４のＡ−Ａ線断面図である。
【図６】本考案の１実施形態に係る装置により太陽電池モジュールを搭載した状態を示す断面図である。
【考案を実施するための形態】
【００１６】
以下図面に基づいて本考案の好ましい実施形態を詳述する。
【００１７】
本考案において、太陽電池モジュール等の機器を搭載するための屋根は、図４ないし図６に鎖線で示すように、棟側から軒側に向かうＸ方向と、該Ｘ方向に交差するＹ方向に関して、Ｘ方向に延びるリブ状の馳１ａをＹ方向に間隔をあけて配設して成る立平葺屋根等の馳付き屋根１が対象とされている。
【００１８】
図１に示すように、本考案の搭載装置は、前記馳１ａを跨いで屋根１に設置される支持金具２と、前馳１ａに固着される固着金具３と、前記支持金具２の上部に機器Ｍを取付ける取付装置４により構成されている。図示実施形態は、１例として立平葺屋根を示しているが、本考案は、立平葺屋根の他、折板屋根等の馳が設けられた馳付きの屋根に広く適用可能であることを諒解されたい。
【００１９】
［支持金具の構成］
前記支持金具２は、図１及び図２に示すように、十分な厚みを有する高強度の金属板を門形に折曲形成することにより、前記馳１ａの上方で該馳１ａを横断する台板部５と、該台板部５の両側から垂設された一対の脚板部６、６を備えており、各脚板部６に操作窓７を開設している。
【００２０】
前記台板部５は、中央部に後述する連結ボルトの挿通孔８を貫設している。図示実施形態の場合、台板部５と脚板部６の折曲部にはプレス成形された補強リブ９が設けられており、台板部５に荷重が作用したときでも、脚板部６が拡縮方向に変形しないように全体が剛体化されている。
【００２１】
前記脚板部６は、下端部を外向きに折曲することにより座片１０を形成し、該座片１０の下面にゴム等の弾性材から成る滑り止め用の摩擦シート１１を貼着している。
【００２２】
前記操作窓７は、図例の場合、脚板部６の下端からＵ形に切欠き形成されているが、円形その他の開口孔により形成しても良い。
【００２３】
［固着金具の構成］
前記固着金具３は、図１及び図２に示すように、馳１ａをＹ方向の左右から挟着するための一対の挟着金具１２（左右の挟着金具を符号１２Ｌ、１２Ｒで示している）と、該挟着金具１２を前記台板部５の下面に連結するための頭付きの連結ボルト１３と、左右の挟着金具１２Ｌ、１２Ｒを緊締するための頭付きの締結ボルト１４及び締結ナット１５により構成されている。
【００２４】
左右の挟着金具１２Ｌ、１２Ｒは、それぞれ対面壁１６に挿通孔１７を設け、該挿通孔１７に前記締結ボルト１４を挿通した状態で締結ナット１５を締結することにより、相互にＹ方向に進退自在に構成され、下端部に相互に対向する掴持片１８を折曲形成すると共に、上端部に相互に対向する摺動片１９を折曲形成している。
【００２５】
前記掴持片１８、１８は、Ｘ方向に延びる板リブ状に形成され、図示のように凹凸を備えていることが好ましく、前記締結ボルト１４及び締結ナット１５を緊締したとき、一対の挟着金具１２Ｌ、１２Ｒの掴持片１８、１８により馳１ａの基部を挟着するように構成されている。
【００２６】
この際、掴持片１８は、Ｘ方向に延びる板リブの両端部を下向きに折曲することにより爪片２０を設け、該爪片２０に馳１ａの側面から次第に離間する円弧縁２０ａを形成することが好ましい。
【００２７】
前記摺動片１９、１９は、左右の挟着金具１２Ｌ、１２Ｒを対面させて締結ボルト１４を挿通したとき、相互に摺動自在に重ね合わせられるように構成され、一方の摺動片１９（図示の場合、左側の挟着金具１２Ｌの摺動片１９）に前記連結ボルト１３挿通保持するための円形の保持孔２１を貫設し、他方の摺動片１９（図示の場合、右側の挟着金具１２Ｒの摺動片１９）に前記連結ボルト１３を挿通した状態でＹ方向に摺動自在とする長孔２２を貫設している。
【００２８】
また、一方の摺動片１９（図示の場合、左側の挟着金具１２Ｌの摺動片１９）は、先端部に下向きの縦板部２３を折曲形成し、前記保持孔２１に下方から挿通された連結ボルト１３の頭部を下側から係止する係止突起２４を設けている。図示実施形態の場合、係止突起２４は、縦板部２３を対面壁１６に向けてプレス成形することにより、保持孔２１の下方に向けて突出形成されている。この際、係止突起２４は、保持孔２１の中心軸線（図２に鎖線で示す）からやや偏位して設けられており、従って、連結ボルト１３を保持孔２１に対して傾斜方向から挿通させた後、前記中心軸線に合致するように姿勢を整合させれば、該連結ボルト１３の頭部１３ａが係止突起２４の上に載せられ、落下しないように保持される。この際、連結ボルト１３の頭部１３ａを六角形としている場合は、縦板部２３の内側面に頭部１３ａが係止し、廻り止め手段を構成することが好ましい。
【００２９】
更に、前記一方の摺動片１９（図示の場合、左側の挟着金具１２Ｌの摺動片１９）は、縦板部２３の両側からＹ方向に延びるガイド長片２５、２５を形成し、これに対して、他方の摺動片１９（（図示の場合、右側の挟着金具１２Ｒの摺動片１９）は、前記ガイド長片２５，２５を摺動自在に嵌合する切欠き状の凹部２６、２６を形成している。
【００３０】
図示実施形態の場合、前記ガイド長片２５、２５は、摺動片１９から縦板部２３を下向きに折曲形成した際に摺動片１９の両側に残存する板片により形成される。前記凹部２６、２６は、他方の挟着金具１２Ｒの対面壁１６と摺動片１９の折曲部の両側に切欠き形成される。
【００３１】
従って、左側の挟着金具１２Ｌの摺動片１９の保持孔２１に下方から連結ボルト１３を挿通し、頭部１３ａを係止突起２４に係止させた状態で、右側の挟着金具１２Ｒを上方から下降させることにより長孔２２に連結ボルト１３を挿通させながら該摺動片１９を前記摺動片１９に重ね合わせると、凹部２６、２６にガイド長片２５、２５が嵌合され、図３に示すように、一対の挟着金具１２Ｌ、１２Ｒを組み合わせた状態の固着金具３が提供される。この状態において、一対の挟着金具１２Ｌ、１２Ｒは、前記ガイド長片２５及び凹部２６によるガイド手段と、摺動自在に重ねられた摺動片１９、１９を介して、相互にＹ方向に近接・離反自在とされている。
【００３２】
そこで、上記のように挟着金具１２Ｌ、１２Ｒを組み合わせた状態の固着金具３は、図４に示すように、上向きに突出された連結ボルト１３を支持金具２の挿通孔８に下方から挿通することにより、該支持金具２の台板部５の下側で両脚板部６、６の間に格納される。
【００３３】
このようにして前記固着金具３を格納した支持金具２は、図４に示すように、両脚板部６、６が馳１ａを跨ぐようにして屋根１に設置させた状態で、両脚板部６、６の操作窓７、７を介して締結ボルト１４及び締結ナット１５を緊締すれば、一対の挟着金具１２Ｌ、１２Ｒの掴持片１８、１８が馳１ａの基部を挟着する。
【００３４】
［取付装置］
太陽電池モジュールを搭載することを目的とした図示実施形態の場合、前記取付装置４は、図１に示すように、アース金具２７と、ラック金具２８と、押さえ金具２９により構成されている。
【００３５】
前記アース金具２７は、支持金具２の台板部５に載せられる金属板から成り、図２に示すように、中央部に前記台板部５の挿通孔８に連通する挿通孔３０を貫設すると共に、Ｘ方向の両端縁部を上向きに折曲することにより起立片３１ａ、３１ｂを形成し、該起立片の上縁を山形状に形成することにより太陽電池モジュールＭに接する接点３２を設けている。この際、軒側Ｘ１から棟側Ｘ２に向かうＸ方向に関して、棟側Ｘ２に臨む起立片３１ｂの両側には、下向きに折曲された係止片３３が形成され、該係止片３３を支持金具２の台板部５の縁部に係止し、該アース金具２７が軒側Ｘ１に向けて滑落することを防止する。
【００３６】
前記ラック金具２８は、前記アース金具２７の起立片３１ａ、３１ｂの間に嵌入されると共にＹ方向に延びるアルミニウム等の型材により形成されており、Ｘ方向に離間する一対の起立リブ３４を備え、前記アース金具２７の挿通孔３０に連通する挿通孔３５を貫設している。尚、ラック金具２８は、図例の場合、Ｙ方向に関して、短尺に形成されたショートラックを示しているが、複数の馳１ａ、１ａに及ぶように長尺に形成されたロングラックとしても良い。
【００３７】
前記押さえ金具２９は、太陽電池モジュールＭを上方から押さえつけて固定するようにＹ方向に延びるアルミニウム等の型材により形成されており、Ｙ方向に並設される太陽電池モジュールＭの縁部に対応する押さえリブ３６を備えており、前記ラック金具２８の挿通孔３５に連通する挿通孔３７を貫設している。
【００３８】
［作用］
上述のように、固着金具３は、挟着金具１２Ｌ、１２Ｒを組み合わせ、連結ボルト１３並びに締結ボルト１４及び締結ナット１５を具備した状態で、上向きに突出された連結ボルト１３を支持金具２の挿通孔８に下方から挿通することにより、該支持金具２の両脚板部６、６の間に格納される。支持金具２の台板部５には、アース金具２７を介してラック金具２８が載置され、挿通孔３０、３５を挿通する連結ボルト１３に対してラック金具２８の上からナット３８を螺着し、支持金具２と固着金具３とアース金具２７とラック金具２８が仮止め状態で組付けられる。この際、連結ボルト１３は、係止突起２４により落下を阻止されているので、組付け作業を容易とする。
【００３９】
そこで、支持金具２の両脚板部６、６が馳１ａを跨ぐようにして屋根１に設置させ、両脚板部６、６の操作窓７、７を介して締結ボルト１４及び締結ナット１５を緊締すると、一対の挟着金具１２Ｌ、１２Ｒが長孔２２並びにガイド長片２５及び凹部２６を介して相互に近接させられながら締結され、掴持片１８、１８により馳１ａの基部を強固に挟着する。このような挟着動作は、支持金具２の両脚板部６、６を屋根１に接地した状態で行うことができるので、挟着後に両脚板部６、６が屋根面から浮き上がることはない。
【００４０】
一対の挟着金具１２Ｌ、１２Ｒが緊締された後、連結ボルト１３に対してラック金具２８の上からナット３８を締結すると、挟着金具１２Ｌ、１２Ｒが緊締状態で更に強固に結合されると共に、挟着金具１２と支持金具２の台板部５とアース金具２７とラック金具２８がサンドイッチ状に強固に結合される。
【００４１】
そこで、図４及び図５に示すように、ラック金具２８の上に、並設される太陽電池モジュールＭ、Ｍの対向する縁部を載置し、起立リブ３４に当接することにより位置決めした状態で、押さえ金具２９の挿通孔３７を連結ボルト１３に挿通させると共にナット３９を締結することにより、太陽電池モジュールＭが搭載される。
【００４２】
上記のようにして軒側Ｘ１の所定個所から棟側Ｘ２の所定個所まで複数の太陽電池モジュールＭ、Ｍを搭載した状態を図６に示している。図示のように、軒側Ｘ１の端部に設置された搭載装置は、軒カバー４０を設けており、該軒カバー４０は、ラック金具２８と押さえ金具２９の間に挟持されている。棟側Ｘ２の端部に設置された搭載装置は、前記押さえ金具２９と形状が異なる押さえ金具２９ａを設けており、該押さえ金具２９ａは、棟側Ｘ２に向けて下向きＬ形に形成されたカバー部４１によりラック金具２８の起立リブ３４を被うように構成されている。
【符号の説明】
【００４３】
１  馳付き屋根
１ａ  馳
２  支持金具
３  固定金具
４  取付装置
５  台板部
６  脚板部
７  操作窓
８  挿通孔
９  補強リブ
１０  座片
１１  摩擦シート
１２（１２Ｌ、１２Ｒ）挟着金具
１３  連結ボルト
１３ａ  頭部
１４  締結ボルト
１５  締結ナット
１６  対面壁
１７  挿通孔
１８  掴持片
１９  摺動片
２０  爪片
２０ａ  円弧縁
２１  保持孔
２２  長孔
２３  縦板部
２４  係止突起
２５  ガイド長片
２６  凹部
２７  アース金具
２８  ラック金具
２９  押さえ金具
３０  挿通孔
３１ａ、３１ｂ  起立片
３２  接点
３３  係止片
３４  起立リブ
３５  挿通孔
３６  押さえリブ
３７  挿通孔
３８、３９  ナット
４０  軒カバー
４１  カバー部
【図１】
0003189426.tif 000003
【図２】
0003189426.tif 000004
【図３】
0003189426.tif 000005
【図４】
0003189426.tif 000006
【図５】
0003189426.tif 000007
【図６】
0003189426.tif 000008